(57)【要約】幌を用いる乳母車、揺り椅子、或いはその他の子供運搬座席と共に使用するオーディオシステムを提供する。オーディオシステムは、乳母車や揺り椅子の幌に担持されるようになっている。オーディオシステムは、一般にオーディオソース、スピーカ、オーディオソースとスピーカとを接続する導線を含んでいる。オーディオソースとスピーカは、幌の外に縫いつけられたポケットの中に入れられ、オーディシステムの部品は、修理或いは交換のために、容易に幌から取り外すことができる。
2004529554.tif 000002
【特許請求の範囲】
【請求項１】
子供座席装置とオーディオシステムとの組み合わせであって、
子供を支持する上記子供座席装置の着座エリアと、
上記着座エリアの上に広がるように拡張できる布製の幌と、
互いに相対的に位置を変えることができ、幌が折り畳まれて幌の布がサポート部材間で折り畳まれているときに互いに近接する部分を有し、該部分は上記幌が上記着座エリアの上に広がっているときに互いに離れている、上記幌の複数のサポート部材と、
所定の位置に布製のポケット部が取り付けられており、上記サポート部材間に広がっている上記幌の布製の互いに向き合う二つの側面部と、
一つの音発生部及び一つのハウジング部をそれぞれ有する一対のスピーカアセンブリと、を備えており、
上記音発生部及びハウジング部が、上記スピーカアセンブリから外に広がる音質を最大限にするように選択された大きさに形作られているが、上記側面部のポケットの中に置かれているときに、上記幌が折り畳まれる最中に、上記サポート部材や上記側面部の折り畳みの障害を最小限にするように上記ハウジング部が小さい外形に構成されている、子供座席装置とオーディオシステムとの組み合わせ。
【請求項２】
前記幌が広げられているときに、前記幌の布製の側面部に前記布製のポケットを取り付けるに適した十分な表面積を提供するために、前記幌の側面部の下端から上方に所定の垂直距離に離れた位置にポケットの中心が配置されながら、前記幌のサポート部材間に前記ポケット位置が予め決められている、請求項１の組み合わせ。
【請求項３】
前記ポケットに取り外し可能に配置されたスピーカアセンブリから前記着座エリアの中で十分に聞こえるほどの最適なステレオ音響を生成するように、前記ポケットが、前記幌の上端から間隔を空けた位置に互いに向き合う前記側面部に沿って配置されている、請求項１の組み合わせ。
【請求項４】
さらに、前記サポート部材のための回転ヒンジ機構を備え、この回転ヒンジ機構が、前記幌を十分に広げた位置で前記幌を解除可能にロックし、かつ、前記側面部のポケットから離れている、請求項１の組み合わせ。
【請求項５】
オーディオソースと、導線とを備え、上記導線の長さが、前記スピーカアセンブリと上記オーディオソースとの間で過度にゆるみ或いは垂れることを最小限にして、前記スピーカアセンブリを上記オーディオソースに電気接続するように前記幌の配置に適して調節される、請求項１の組み合わせ。
【請求項６】
前記導線を前記幌に近接して保持するホルダーを備え、前記幌が広げられるようになっている、請求項５の組み合わせ。
【請求項７】
子供を支える着座エリアと、
上記着座エリアを覆う広げられた位置と、上記着座エリアを丸出しにする折り畳み位置とを有する布製の幌と、
上記幌に取り付けられた複数のサポート部材と、
上記サポート部材が上記幌の移動に際して互いに近づくように、また離れるように移動させるための回転台と、
上部と該上部から垂れ下がっている互いに向き合った二つの側面部とを備えた一つの布製のフード部と、
布製の後カバー部と、
スピーカを取り出し可能に収容することができる、上記フードの側面部の外表面に配置された一対のスピーカポケットと、
上記幌の後カバー部の外表面上に配置されたオーディオソースと、を備えており、
導線と上記ポケットの中のスピーカと導線を容易に操作できるように、上記オーディオソースが上記幌まわりに延びる導線によって上記スピーカと連結されている、子供運搬装置。
【請求項８】
前記後カバー部が複数の開口を有し、さらに前記幌が取り外し可能に取り付けられるようにするために、上記開口を通して延びることができる複数のハンドル部を備えた、請求項７の子供運搬装置。
【請求項９】
前記幌が、前記幌を乳母車或いは揺り椅子に着脱可能に取り付けるのに適した弾性的で柔軟なマウントを備えている、請求項７の子供運搬装置。
【請求項１０】
前記幌の側面部が下端を有し、前記各サポート部材がそれぞれ前記幌の側面部の下端で収束しており、前記スピーカのポケットが、前記サポート部材の収束に適合するようにテーパー状に形成されている、請求項７の子供運搬装置。
【請求項１１】
前記スピーカのポケットが、前記幌の隣接するサポート部材間に配置されており、前記幌が広げられているときに前記着座エリアの中で十分に聞こえるほどに前記ポケットに収容されたスピーカからの音を最適にするように、前記側面部の下端の上方に垂直に離れた所定位置に前記ポケットの中心が配置されている、請求項７の子供運搬装置。
【請求項１２】
前記スピーカのポケットが、上方に開口と該開口を覆うフラップとを有し、該開口を通して、スピーカが該ポケットの中に入れられたり該ポケットから取り出されたりすることができる、請求項７の子供運搬装置。
【請求項１３】
前記幌の後カバー部が、前記ポケットと協調してオーディオソースに対する衝撃を吸収するためのパッドアセンブリを備えている、請求項７の子供運搬装置。
【請求項１４】
前記導線が、各スピーカに固定して接続されるように一端で分岐しており、対向する端部に、前記スピーカに音響信号を送信するために、前記オーディオソースに電気的に接続するためのジャックを備えている、請求項７の子供運搬装置。
【請求項１５】
選択的に着座エリアを覆う折り畳み式の幌を備えると共に、オーディオシステム部品の担持部を有する子供運搬装置用のオーディオシステムであって、
上記子供運搬装置の中にいる子供に向けて音を発するための、上記幌のポケットに装脱可能に入れられる一対のスピーカアセンブリと、
各スピーカアセンブリの一つのコンパクトなハウジング部と一つの音発生部とを備えており、
上記ハウジング部及び音発生部が、空間を節約するために且つ前記折り畳み式の幌の操作の妨げとならないように最小の大きさであり、さらに最良の音を発するように、上記ハウジング部と上記音発生部との間の距離が予め決められている、オーディオシステム。
【請求項１６】
前記ハウジング部が、実質的に環状の構造と、前記音発生部が発する音を通す正面壁部と、該正面壁部を通して放出される音の質を向上させるための所定数の孔を有する背面壁部とを有する、請求項１５のオーディオシステム。
【請求項１７】
前記ハウジング部が、約３０〜約４０ミリメートルの間の直径を有すると共に、約１１〜約１６ミリメートルの前記正面壁部と前記背面壁部との間の奥行きを有する、請求項１６のオーディオシステム。
【請求項１８】
前記ハウジング部が、約３６ミリメートルの直径を有すると共に、約１３．５ミリメートルの奥行きを有する、請求項１７のオーディオシステム。
【請求項１９】
前記音発生部が、約２０〜約３２ミリメートルの間の直径を有する、請求項１５のオーディオシステム。
【請求項２０】
前記音発生部が約２７ミリメートの直径を有する、請求項１９のオーディオシステム。
【請求項２１】
前記スピーカアセンブリが、音量を最大限にするように、所定の低インピーダンスレベルを有する、請求項１５のオーディオシステム。
【請求項２２】
前記幌上の担持部がポケットであり、さらに、電気的な音響信号を発生するために、前記幌のポケットの中に取り出し可能に収容されるオーディオソースと、該オーディオソースを前記スピーカに接続する導線を備えた、請求項１５のオーディオシステム。
【請求項２３】
前記スピーカが前記ポケットに取り出し可能に入れられているときに、前記導線を前記ポケットから抜け出しつつ、前記子供運搬装置に収容する子供に向けて音が発するように前記スピーカが正しい方向に向くように、前記導線の一部を通すステム部を各ハウジング部が一体に備えている、請求項２２のオーディオシステム。
【請求項２４】
前記スピーカハウジングのステム部が、張力を最小限にするために、前記ステム部と前記導線とを接続する張力緩和部材を備えている、請求項２３のオーディオシステム。
【請求項２５】
前記オーディオソースが、テープ・カセットプレーヤー、ＣＤプレーヤー、ミニ・ディスク・プレーヤー、ＭＰ３プレーヤー、ラジオのうちのいずれかである、請求項２２のオーディオシステム。
【発明の詳細な説明】
【技術分野】
【０００１】
本発明はオーディオシステムに関し、特に乳母車（stroller）若しくは揺り椅子（rocker）に使用されるような可倒式の幌（canopy）に適したオーディオシステムに関するものである。
【背景技術】
【０００２】
子供に対しての主な課題は、子供を長期間の間快適で、幸福にしておくことである。このために、子供をなだめる効果がある音楽あるいは他の音を演奏することができるオーディオシステムが開発されている。これらのオーディオシステムのうちのいくつかは、オーディオソース（ポータブルのＣＤプレイヤー、ミニ・ディスク・プレーヤー、テープ・カセットプレーヤー、ＭＰ３プレーヤーあるいはラジオのような）、スピーカおよび導線を使用している。
【０００３】
先行技術のオーディオシステムの一つの不利点は、自動車中のチャイルドシートのような子供運搬装置に組み込まれる導線およびスピーカの使用である。特に、チャイルドシートは典型的には、内向きで互いに向かい合う硬質プラスチック垂直サイドパネルを有し、座席空間内で子供の水平移動を制限している。スピーカは、通常、サイドパネルの内部でサイドパネルの上方に配置され、音を出すためのサイドパネル開口が設けられている。導線は、スピーカを接続するために背もたれを横切って、その後、座席のプラスチックベースとして成型されたコンパートメントの凹みに配置されているオーディオソースに接続するために少なくとも一つのサイドパネルを下って内部に伸びることができる。スピーカラインの端末でのジャックだけがベースコンパートメントにある。明らかに、導線またはスピーカに不具合が生じた場合、導線またはスピーカの修理あるいは交換は困難である。子供装置は、不具合のある導線あるいはスピーカを取り外して、かつそれらを修理するために、あるいはそれらを新しいものに取り替えるために、物理的に改良されなければならない。米国特許第5,482,352 号でLealらによって開示されているように、スピーカと導線がチャイルドシート上に適合するようにエプロンの織物層の間に組み込まれている場合は、これらの電装品を除去することなくどのようにしてエプロンを洗浄するかの問題がある。これらのエプロンが、洗濯機などで、適正で定期的なクリーニングを一般的に必要としているので、そのような内蔵のオーディオシステムがあまり実用的ではないことは明らかである。
【０００４】
乳母車にはカー・シート中のサイドパネルと同種の硬いサイドパネルはない。代わりに、子供の体重がおおよそ体の周辺、少なくとも子供の体側の一部や頭の反対側などの織物にかかるように織物をフレームロッドに取り付けたときに、乳母車のフレームが柔軟な織物部材を支持する。おそらく、子供の頭と織物の係わり合いのために、硬プラスチックのスピーカは、チャイルドシートやそのエプロンに組み込まれているようには織物に組み込まれていない。
【０００５】
拡張可能な幌は、座席エリア上を覆うようにしばしば設けられている。幌は、幌を引っ込めるときに織物部材を折り畳むのに必要なサポート輪あるいはリブを備えている。幌が十分に伸ばされたときには、織物はリブ間で広げられ、ピンと張っている。幌織物は単一層材料でなっている。従って、この構成や作動要求のために、乳母車やその幌に使える特に適したオーディオシステムは提供されていない。
【０００６】
従って、乳母車の使用に適したオーディオシステムが必要である。便利に交換可能な部品を持つオーディオシステムを提供することも望ましい。より具体的には、広げられたり引っ込めたりすることができる乳母車の幌等の使用に好適なオーディオシステムが必要である。
【発明の開示】
【０００７】
本発明は、好ましくは座席を覆う幌を伴った乳母車或いは揺り椅子と共に使用することができるオーディオシステムを提供する。注目すべきは、本発明のオーディオシステムが、回転によって広げたり折り畳んだりすることができる幌を用いた他の子供装置と共に使用することができることである。この点では、好ましいオーディオシステムは、子供装置に取り外し可能に取り付けられる幌に内蔵されており、オーディオシステムは、幌に縫いつけられた或いは他の手段によって取り付けられたポケットに入れて担持され、その場合、以下に詳細に述べるように、ポケットの中にスピーカやオーディオソースが入れられている。したがって、好ましい形態では、例えば、洗濯、メンテナンス等のために乳母車のフレームから布製の座席を取り外すことができるようにして、オーディオシステムを担持することができる幌に関する。さらに、オーディオシステムは、幌自体の改変を必要とすることなく、オーディオシステムの部品、例えば、スピーカやスピーカワイヤーを容易に取り外したり交換したりすることができる。
【０００８】
このオーディオシステムはいくつかの目的のために使用されてもよい。オーディオシステムは、幼児を落ち着かせるために、或いは幼児が眠りにつくのを助けるために、なだめる音楽をかけるのに使用されてもよい。さらに、オーディオシステムは幼い子供の音楽の才能を刺激する音楽をかけるために、又は学習を向上する教育ＣＤ，テープをかけるために使用されてもよい。オーディオシステムは、子供を楽しませる物語或いは音楽のＣＤやテープをかけるために使用されてもよい。
【０００９】
記述したように、好ましい形態では、オーディオシステムは乳母車又は揺り椅子の幌と連携している。オーディオシステムは、一般にポータブルのＣＤプレイヤー、ミニ・ディスク・プレーヤー、テープ・カセットプレーヤー、ＭＰ３プレーヤーあるいはラジオのようなオーディオソースと、スピーカと、オーディオソースおよびスピーカを接続する導線とを含んでいる。スピーカは、幌の互いに向き合う外側に沿って配置されたポケットの中に収容されており、スピーカは、容易にポケットの中に入れられたり取り出されたりできる。
【００１０】
より明確には、幌の通常の操作に妨げとならないように、また例えば、乳母車の座席にいる子供が十分に聴くのに適した最適な音質を提供するように、スピーカの大きさやポケットの位置は、注意深く調整され選択されている。アーチ状の複数のサポート部材或いは前端と後端とで布に縫いつけられた輪と、幌が座席の上に広がるように幌の単一層の織物材が張られる幌の両端間にある中間の部材と、を用いる幌は知られている。複数のサポート部材は、幌の互いに向きあう側面の下側にある各サポート部材の下端で互いに向かって収束している。各サポート部材のアーチ状の上端は、幌が折り畳まれるにつれて、互いに近接するように回転式に移動し、幌が広げられているときは互いに離れている。ポケットに適した織物材の最大量があるのは、サポート部材の上端間のエリアの中である。しかしながら、ポケットは、一般に、幌のはるか上方にあって、幌下の座席の中で十分に望ましい立体音響効果に適したスピーカからの音を効率的に伝達することができない。
【００１１】
この目的のために、オーディオシステムは、幌の布の表面積がすくないのにもかかわらず、音質をほとんど、或いは全く犠牲にせずに、ハウジングを含むスピーカアセンブリのサイズを非常にコンパクトにすることによって、幌の上端領域の下の垂直距離に沿ったサポート部材間のエリアを利用している。これは、ポケットを小さくすることを可能にすると共に、立体音響効果を提供するのに、例えば子供が乳母車の座席に座っているときに標準的な子供の頭の垂直位置に合わせた最適な位置であって、各サポート部材が収束する垂直部間の幌布にポケットを取り付けることを可能にする。さらに、小形のスピーカは、幌が折り畳まれるときに、スピーカが幌のサポート部材間で挟まれてしまって、幌の十分な折り畳みを妨げる可能性を最小限にする。それに加えて、小形のポケットやスピーカの場合、スピーカやポケットは、幌が折り畳まれているときに、幌の内側にあり互いに近接した或いは互いに係わり合った状態になるサポート部材の部分から離れているサポート部材間で、幌の織物材の窪み部分の中に入り込む傾向にある。さらに、幌の格納中に、スピーカがサポート部材間で捕らえられても、スピーカの薄さが、上記幌の十分な折り畳みに適するように、移動したサポート部材が互いに近接することを許容している。
【００１２】
したがって、ポケットの位置は、乳母車の座席エリアの中の子供に聞こえるスピーカからでる音の質と、伸び縮みに適した幌の操作との両方を最適にすることに関係した幾つかの要因を考慮に入れている。議論されたように、幌は、各下端で放射状に取り付けられた前方のアーチ状のサポート部材と後方のアーチ状のサポート部材と、前後のサポート部材間にある中間のアーチ状のサポート部材と、を含んでいる。従って、各サポート部材は、上端で幌の布を支持するために上方に延びるとともに、互いに離れて行く。
【００１３】
幌の各側面上の、各サポート部材の下端の上の位置で、一つの回転ヒンジ機構が動作可能に前方及び後方のサポート部材に連結されているのが好ましい。回転ヒンジ機構は、幌が十分に広げられているときに、回転ヒンジ機構の回転中心で、上方に引くことによって幌が折り畳まれることを許容し、それによってロックが外れるような摩擦カムロックを備えている。したがって、ポケットを縫いつけることができる幌の上端の部材が多いとしても、そのような配置は、スピーカの立体音響効果を最大限にしない。他方では、サポート部材が幌の底に向かって収束するので、サポート部材間に多くの部材はない。また回転ヒンジ機構も、幌の下方領域に配置されている。ポケットを幌の非常に低い位置に配置することは良い立体音響を達成できるとしても、幌の折り畳み中にサポート部材と回転ヒンジ機構が受ける正常な回転操作を妨げるかもしれない。これを考慮すると、ポケットの配置は、幌がポケット中のスピーカに妨げられることなく操作されることを可能にすると同時に、立体音響効果を最大にするために注意深く正しい位置に合わせられる。
【００１４】
スピーカは、ポケットの上端に取り付けられたフラップによっても、ポケットの中で好適に保持されている。むしろ、ポケットは、スピーカを取り出せるように上方の開口を備えており、また、フラップが、開口を実質的に開口のすぐ上で閉じるように、関連する上部の開口の上の幌に取り付けられていてもよい。幌が折り畳まれているときには、ポケットがサポート部材の内側に折り畳まれるように、隣接するサポート部材の機能によって、スピーカはポケットの中に保持される。これによって、議論したように、仮にポケットが開いていても、スピーカがポケットから落ちる機会を最小限にしている。これは、さらに幌が閉じられて使用されていないときにスピーカが隠されることを可能にする。
【００１５】
各スピーカは、二つに分かれた構造（スプリット構造）を有する一本の導線の各端部に接続されている。スピーカが幌のサイドポケットに挿入されている場合、導線は幌の外部に沿って配置される。二つに分けられた導線の端部は、一つのジャックに終端する一本の共通の導線を形成するように互いに接続される。一方、ジャックは、ＣＤプレイヤー、ミニ・ディスク・プレーヤー、カセットプレーヤー、ＭＰ３プレーヤーあるいはラジオなどのオーディオソースに接続することができる。導線が幌の外部に沿って延びるときに、導線が垂れたりぶら下がったりすることが最小限になるように、導線は、幌まわりのポケットの位置に合わせた所定の長さを有することが好ましい。導線は、ホルダーによって幌に保持されていてもよく、このホルダーは、好ましくは、ベルクロ(velcro)ファスナーを有し、導線が垂れる量を最小限にするように幌の外表面に配置されている。
【００１６】
オーディオソースは、幌の後フードと一体のポケットの中に配置される。ポケットは、比較的かさばる大きさの古い型式のラジオ，テープ・カセットプレーヤー，ＣＤプレーヤーを含む様々の異なるオーディオソースに容易に順応するように十分な大きさをもつ。オーディオソース用のポケットも、オーディオソースを保持するためのフラップを備えている。さらに、オーディオソースのポケットは、子供運搬装置に収容されている子供の不快を最小限にするために、幌の内表面に備えたパッドによって、衝撃を吸収されるようにすることもできる。
【００１７】
これらの、またその他の利点は前記オーディオシステムで実現される。本発明の利点は添付の図面と次の詳細な説明からよく理解されるであろう。
【発明を実施するための最良の形態】
【００１８】
本発明は、広げたり畳んだりすることができる幌２０を備えた子供運搬装置２０２に使用するためのオーディオシステムであり、参照数字２００で示されている（図２〜４）。オーディオシステムは、この実例の中では、オーディオソース２１( 図１２) （ＣＤプレイヤー、ミニ・ディスク・プレーヤー、ＭＰ３プレーヤー、テープレコーダー／プレーヤーあるいはラジオなど）に接続された２つのスピーカ１０８を含むことができ、それら全ては乳母車２０２ａに取り付けられた開閉式の幌２０のポケット４０に入れて運ばれる。スピーカのポケット４０の位置やスピーカ１０８の大きさは、幌２０、その構成やその操作作用について好適な使用法を考慮して、注意深く選択される。この目的のために、スピーカ１０８やスピーカのポケット４０は、装置２０２に座る子供のための立体音響効果を最大限にし、幌２０の開閉による干渉を最小限にし、高い音質およびボリュームを生成するために、サイズや幌２０上の位置が予め決められている。さらに、子供運搬装置２０２用の他のオーディオシステムのように、オーディオ部品が幌２０に組み込まれていないので、部品を容易に取り外したり交換することができる。
【００１９】
前述したように、一つの形態として、子供運搬装置２０２は乳母車２０２ａである。より具体的に図示すると、乳母車２０２ａは、図１に示すように、乳母車２０２ａの各サイドにある脚４を二対備えたフレーム２を備えており、各脚４は下方へ伸びており、各脚の底７には回転可能な車輪６が取り付けられている。一対のハンドル部材８は、乳母車２０２ａの後部で後上方へ延びている。一対のハンドル部材８は、グリップ部材１０によって上端８ａで互いに接続しており、またハンドル部材８はその下端８ｂに向けて前方に延びるサイドメンバ１２に接続している。一対の前方と後方の脚４はそれぞれ一つのサイドメンバ１２に接続している。
【００２０】
乳母車２０２ａの座席部分１３は、乳幼児が座るように、乳母車２０２ａのフレーム２に取り付けた織物の座席１４によって提供されている。座席１４は、車輪の脚４から上端５に向けて吊るされている底部１６と、一対のハンドル部材８をまたがる背もたれ部１８とを含んでいる。背もたれ部１８は、ほぼ平らな中央部１８ｃの両側から徐々に外に向かって曲がっている側部１８ａ，１８ｂを含んでいてもよい。座席部分１３に座っている子供に対して、織物の座席１４は通常、子供に合うように柔軟である。座席部分１６，１８は、好ましくは、乳母車２０２ａに子供が心地よく座っていたり乗っていられるように緩衝材を含んでいる。
【００２１】
幌２０は、乳母車２０２ａに取り外し可能に取り付けられており、適当に座席部分１３を覆うために広げることができる。図２〜６に示すように、幌２０は、織物製の後カバー部２２と織物製のフード部２４とを含んでいる。一般に、部分２２，２４の織物は、織物の座席１４とは異なる柔軟な織物材の薄い単一層から成っている。フード部２４は一対の放射状に接続しているアーチ形の輪サポート部材２６を含んでいると共に、輪サポート部材２６間のフード部２４に縫い込まれた、中間にあるアーチ形のリブサポート部材２８を備えている。このようにして、図４及び図５に示すように、輪２６，２８は、フード２４が座席１４の上に拡がっているオープン，展開位置と、フードがバック部２２に対して、且つ乳母車のハンドル部材８の方へ折り畳まれてつぶれ、引っ込められている位置との間で回転することができる。拡張位置では、フード２４の織物材は輪２６間でピンと張っている。一方、引っ込められている位置では、織物材は窪み２０６ができるように輪２６間でつぶれている。これらの窪み２０６は、フード部２４下の内部空間にむけられるのが好ましい。このように、織物材は、幌２０が完全に折り畳まれないくらいに、部材２６，２８間で束ねられないようになっている。
【００２２】
輪サポート部材２６の両端にある回転アセンブリ２９は、下方に延びるピン３２を備えた回転マウント３０を含んでいる。輪サポート部材２６の底端２０８は、前方の輪サポート部材２６ｂだけが相対的に回転するように、プレートマウント３０上のインテグラル・ラグ（図示省略）間にきつく保持された後方の輪サポート部材２６ａと共に、回転マウント３０にリベット２１０によってピン留めされている。
【００２３】
図６に示すように、幌２０が乳母車２０２ａに取り外し可能に取り付けられるように、回転マウント３０のピン３２は、弾力があり柔軟な脚３４で分割構成されており、この脚３４がハンドル部材８の下端８ｂに取り付けられた受け部材３６に取り外せるように挿入される。この目的のために、受け部材３６は、脚３４の通常の直径よりも小さい直径を備えた軸さや３８を含んでおり、各脚３４が軸さや３８にはめ込むように互いの方へ撓むようになっている。幌２０が正しい位置にある場合には、脚３４は、幌２０を乳母車２０２ａに取り外し可能に取り付けるために、軸さや３８の内表面３８ａに外向きによりかかっている。脚３４が軸さや３８に入れられているとき、幌２０が乳母車２０２ａから外れる事故を防ぐために、放射状のリップ３９が軸さや３８の底３８ｂに接している。
【００２４】
ピン３２が受け部材３６に受容された後に、後カバー部２２がハンドル部材８間に架け渡される。後カバー部２２は、ハンドル部材８を通すための開口或いは切り抜き領域２２ａ，２２ｂを備えている。ハンドル部材８を開口２２ａ，２２ｂに通した後に、後カバー部２２はハンドル部材８まわりの開口２２ａ，２２ｂを閉じるために且つフード部２４の対応する手段として、ベルクロファスナーを持っている。後カバー部２２の下端も、対応するベルクロファスナーを備えたフード２４の底領域に取り付けるためのベルクロファスナーを備えている。
【００２５】
乳母車２０２ａの幌２０は、フード２４の互いに向き合う側面上に配置されたポケット４０の形でオーディオ部品用の担持部を備えており、ポケット４０にはスピーカ１０８を容易に出し入れできるようにゆるく入れてある。さらにここで議論されるように、スピーカのポケット４０の位置は、ポケット４０に収容されたスピーカ１０８の立体音響効果を最大限にし、かつ幌２０の折り畳み中にサポート部材２６，２８をできるだけ邪魔しないように予め決められており注意深く選択されている。さらに、幌２０は、後カバー部２２の上にポケット４２を備えており、ポケット４２はオーディオソース２１を容易に出し入れできるようにゆるく入れてある。特に、スピーカ１０８は、幌２０のフード２４の互いに向き合う側面の織物部１９に縫いつけられたポケット４０の中に置かれている。好ましくは、図５や図２４〜２６に示すように、フード部２４が折り畳み位置に動くとき、ポケット４０が輪２６とリブサポート部材２８との間に形成された窪み２０６の中につぶれるように、ポケット４０は、後方の輪サポート部材２６と中間のリブサポート部材２８との間に配置されている。オーディオソース２１は、後カバー部２２の後方外表面に縫いつけられたポケット４２の中に置かれている。ポケット４０，４２は、好ましくは、ポケット位置で織物材が二層になるように、幌の一層の織物材に縫いつけられる一切れの織物材によって形成されている。
【００２６】
図７に示すように、パッド６６とパッドカバー６８とを含むようなパッドアセンブリ６５が、幌２０の内表面２０ａの上に備えられていてもよい。特に、パッド６６及びパッドカバー６８は、幌２０の外表面２０ｂの上に配置されたオーディオソース２１用のポケット４２に対応する内表面２０ａ上に配置されている。パッド６６は、クッション効果を持ち、且つ通常のオーディオソース２１の硬いプラスチック或いは金属製のハウジングが子供の頭にぶつかることによる不快感及び／又は怪我から子供運搬装置２０２に乗っている子供を守る発泡体等の柔軟で弾性のある材料で構成されている。パッドカバー６８は、パッド６６を正しい位置に保持するために、パッド６６を覆って内表面２０ａに縫いつけられている布である。
【００２７】
図９及び図１０に示すように、スピーカ１０８ａ，１０８ｂ，１０８ｃは、電線やコードなどの導線４４の各末端４３に取り付けられている。各導線４４の反対側の末端４５は、共通の導線４７を形成するように、結合点４６で接続されている。この共通導線の末端はジャック４８であり、このジャック４８はオーディオソース２１に接続することができるものである。オーディオソース２１がポケット４２に入れられ、且つスピーカ１０８が幌２０の側面１９に沿ったポケット４０の中に入れられると、導線４４は幌２０の外表面２０ｂ伝いにゆるく配置される。
【００２８】
乳母車２０２ａの中にいる子供の手の届かないように、導線４４を幌２０の外表面２０ｂ伝いに配置することで、安全機能が確保される。幼児は、これらの導線４４に絡まったり、これらの導線をいじることはできない。乳母車２０２ａの織物に織り込まれている或いは織物の中に包含されているような備え付けの導線を含む他のオーディオシステムと対照的に、ここでの導線４４は、容易に取り外して交換することができる。
【００２９】
導線４４は、幌２０の外側伝いに好ましく配置されるように所望の長さになっている。言いかえれば、導線４４が、オーディオソース２１に連結されたときに、ピンと張らずにまた幌２０や乳母車２０２ａ伝いに過度にゆるんだり垂れ下がらないように、スピーカ１０８とオーディオソース２１との間の導線４４の長さが設定されている。でこぼこの地面の上を親が乳母車２００を押しているとき等、特に導線４４に予期しないテンションがかかったときに、導線４４の長さが短すぎると、導線４４が、オーディオソース２１からジャック４８を引き抜いたり、ポケット４０からスピーカ１０８を引っ張り出したりするかもしれない。導線４４が長すぎると、特に、幌２０が広げられ或いは折り畳まれるとき、又は乳母車２０２が前進しているときに幌２０の外側に配置されている物体に、この導線４４が絡まるかもしれない。
【００３０】
図９を参照すると、好ましい形態では、導線部４７の長さ（ａ）はジャック４８から結合点４６まで６インチ（１５０ミリメートル）であり、導線部４４の長さ（ｂ，ｃ）は結合点４６からスピーカ１０８ａまで１２．６インチ（３２０ミリメートル）である。導線部４７は後ポケット４２の中に入っており、導線部４７の長さ（ａ）は、後ポケット４２の異なる位置に入れられるさまざまな大きさのオーディオソース２１に対してジャック４８が容易に接続されるように設定されていてもよい。ステム部１１０をポケット４０の上縁５１の近くで容易に動かせるようにした状態で、上記のようにスピーカハウジング１１２とコード又は導線の配置のために、上記導線部の長さ（ｂ，ｃ）を、サイドポケット４０の上縁５１と後ポケット４２との間の幌２０まわりの距離に近づくように設定することができる。
【００３１】
幌２０は図３及び図６に示すように、好ましくは導線４４を固定したり、幌２０の外表面２０ｂ伝いに導線４４の経路を決めたりするための一対の導線ホルダー６２を備えている。これらのホルダー６２は導線４４がたるんだり容易に絡まったりするのを防止する。各ホルダー６２は、各スピーカ１０８が対応するポケット４０から意図せずに引き出される可能性を最小限にしている。各ホルダー６２は、好ましくは、後方のサポート部材２６ａに沿った位置で、サイドスピーカポケット４０の高さ位置よりも僅かに高い位置に配置されている。このように、導線４４がサイドポケットの開口６７から延びて、ホルダー６２にまで僅かに上方に湾曲して延び、そして、後方のポケット４２の中に収容されている導線の結合点４６や共通の導線部４７を含んだ後方のポケットの開口まで僅かに下方に湾曲して延びるように、ホルダー６２を経由した導線の経路が決められている。これらの導線ホルダー６２はベルクロファスナー、紐、ボタンおよびスナップを備えていてもよい。最も好ましい形態では、ベルクロファスナーが導線ホルダー６２として用いられる。
【００３２】
図６を参照すると、導線４４がスピーカのポケット４０とオーディオソースのポケット４２との間で僅かに湾曲して幌の外表面２０ｂ伝いに延びていることが分かる。しかしながら、導線４４の長さが上記したホルダー６２の配置に沿って、幌２０まわりのポケット４０，４２間の間隔に整合しているので、それらの間で延びている導線４４の湾曲の半径が実質最大値になっていることが分かる。このように、導線４４が絡まったりしないように、またその結果ポケット４０からスピーカ１０８が引き出されないように、オーディオシステムの作動状態時にオーディオ部品の唯一露呈した部分である導線部４４には余分の長さがない。前述したように、導線部４４の結合点４６から延びる共通の導線部４７は、導線部４４の長さの半分程の長さである。導線系に加えられたテンションを吸収するために、導線４７は充分に撓んでいるので、オーディオシステム２１の対応するソケットからプラグ・ジャック４８が引き抜かれるようなテンション力が導線系に加わるのを、実質、導線４７の長さが未然に防止している。
【００３３】
図２１〜図２２に示すように、スピーカ１０８の各ステム部１１０を導線４４に連結するために、張力緩和部材１１４を用いてもよい。さらに各張力緩和部材１１４は、各スピーカ１０８に加わる張力を最小限に抑えるのに役に立つ。従って、万一、導線４４がピンと張ったり或いは引き出されても、各張力緩和部材１１４によって、スピーカ１０８が各ポケット４０から引き出されないようになっている。
【００３４】
スピーカ１０８用のポケット４０は乳母車２０２ａの中の子供に与える立体音響効果が最適になるように配置されており、その一方では、幌２０の折り畳み操作中、干渉の問題の発生も避けるようになっている。各ポケット４０は、好ましくは、幌２０の側面１９に沿ってできるだけ低い位置に配置されており、その上、各ポケット４０は、幌２０が各ホルダー間でスピーカを収容したポケット４０を保持して折り畳むことができるように、後方と真ん中の幌のホルダーの間で、ポケット４０の中にスピーカ１０８を簡単に入れたり、且つポケット４０からスピーカ１０８を容易に取り出したりすることができるようにスピーカ１０８に適した必要な大きさを有する。幌２０の上端５９或いは下端５７から測って、スピーカを収容するポケット４０の位置が低すぎると、幌２０の折り畳み作業におそらく邪魔になるかもしれない。言いかえれば、サポート部材２６，２８は下方に延びるにつれて収束するので、ポケット４０の中のスピーカ１０８がこれらのサポート部材２６，２８間に挟まってしまうと、幌が充分に広がっている位置から幌２０を折り畳む際の比較的早い時期に、各サポート部材２６，２８の相対的な回転が止まってしまうであろう。ポケット４０の位置が高すぎると、平均サイズの子供の耳の高さ位置よりポケット位置があまりに離れてしまうので、最適の立体音響効果が確保されないであろう。図８に示すように、好ましい形態では、ポケット４０の最適な位置（ｈ）は座席底部１６からポケット４０の中心４１までが大体１７〜１９インチ（４３０〜４８３ミリメータ）である。
【００３５】
図６に最も良く示されるように、一対の回転ヒンジ機構２５は、幌２０の各側面上で、後方のサポート部材２６ａと前方のサポート部材２６ｂとの間に取り付けられている。回転ヒンジ機構２５は、幌２０が広げられた状態において解除可能にロックされるような摩擦カムロックを特徴とする一対の回転部材２３，２７を用いている。
【００３６】
特に、回転部材２３は後方のサポート部材２６ａの後端２３ａでピン留めされており、回転部材２７は前方のサポート部材２６ｂの前端２７ａでピン留めされており、これらの回転取付位置は、サポート部材２６の底端２０８及び各回転マウント３０から鉛直線上に間隔がおおよそ３〜４インチである幌２０の側面１９である。
【００３７】
回転部材２７は、回転端２７ａから終端部２７ｃまでの部材２７の長さに沿って中間位置から延びる窪み２７ｂを備えている。段部カムの表面２７ｄは、隆起した両端指状部材２７ｅがある回転部材の終端部２７ｃまで窪み２７ｂに沿って延びており、そして、回転ヒンジ機構２５の解除可能にロック操作ができる回転部材２３と協働するように配置されている。
【００３８】
回転部材２３は、回転端２３ａの反対側に一つの矩形の延長部２３ｂの形態の端部を備えている。幌２０がロックされているときに延長部２３ｂ上の外側の曲がったカム表面２３ｃが段部表面２７ｄに係合するように、延長部２３ｂは回転部材２７の窪み２７ｂの中心にピン留めされている。カム表面２３ｃ，２７ｄに沿った部材２３，２７の回転位置は、幌２０が広げられているとき、各部材２３，２７が互いに線状に延びる配置方向に向かって回転するようになっている。幌２０が完全に広げられている場合には、カム表面２３ｃ，２７ｄは係合している。サポート部材２６間で幌がピンと張るようにするには、使用者は、各サポート部材２６ａ，２６ｂが互いに離れるように、連結した回転部材２３ａ，２７ａで各サポート部材２６ａ，２６ｂを押すと共に、特に固定された後方のサポート部材２６ａから前方のサポート部材２６ｂが離れるように前方のサポート部材２６ｂを前方へ押すように、湾曲した表面２３ｃ，２７ｄを互いに強固に係合させながら両端の指状の部材２７ｅを下に押す。ひとたびカム表面２３ｃが段部表面２７ｄを越えれば、両端の指状の部材２７ｅは、部材２３，２７が互いに直線上に配置されるようにしながら幌を全開位置にて解除可能にロックするように、延長部２３ｂの上側にもたれるように閉じる。
【００３９】
幌２０を折り畳むには、使用者は、カムの摩擦ロックを解除するために回転部材２３，２７の底を持ち上げる。僅かな上方への圧力は、図２４に示すように、幌２０が折り畳まれるように、部材２３，２７が相互に自由に回転して、カム表面２３ｃがもたれ掛かっている段部表面２７ｄとの係合点を越えるように、部材２３，２７の回転を引き起こす。幌２０の側面に沿って延びる回転部材２３，２７の配置位置のために、スピーカポケット４０の配置は、部材２３，２７が線状に並んでいるときに、スピーカ１０８をポケット４０の中に安定して入れる問題を最小限にするように、上記したように制限されている。回転部材２３，２７が幌の折り畳み中に互いに上方に回転するとき、ポケット４０とその中のスピーカ１０８が、先に述べたように、幌２０の内部の窪み２０６に移動するので、図２４に示すように、各回転部材の上端２３ｂ，２７ｃがポケット４０の下端の領域に入り込むことができる。
【００４０】
好ましい形態でのスピーカポケット４０の大きさは、図２１〜２２に詳細に示されている。フラップ４９がスピーカ１０８を中に保持するために各ポケット４０の上端に取り付けられている。ポケット４０の好ましい形状は６つの辺をもつ多角形であるが、他の形状でも良い。上端縁５１は、スピーカ１０８の挿入に対応するための開口６９を備えるために縫われておらず、好ましい形態では、上端縁５１はポケット４０にスピーカのハウジングが容易に入るようにスピーカハウジングの直径よりも大きい６５ミリメートルである。多角形の残りの辺はすべて、幌２０に縫いつけられている。平行の二辺５３は、上端縁５１からポケット４０の底５５への約３／４で互いに内方向に向けて曲がる手前まで、上端縁５１から下方に延びている。好ましい形態では、下方に延びる各辺は、内側に曲がる手前までの長さが約４５ミリメートルである。ポケット４０は、好ましくは、所望のコンパクトサイズのスピーカ１０８を入れるために、少なくとも約４０ミリメートルの深さを有する。この深さは、ポケット４０の上端縁５１から底縁５５までの距離である。
【００４１】
上記したように、サポート部材２６，２８は、幌の側面１９の下端５７で収束し、スピーカポケット４０の辺５３はその下端部５３ａによって相似のテーパー状に形成されている。ポケット４０の下端部５３ａは、幌２０のサポート部材２６，２８の領域近くに入り過ぎないように内側に曲がっており、そうでなければ、幌の折り畳み位置への移動の障害になるであろう。このように、ポケット４０は、収束するサポート部材２６，２８の間で幌材料の輪部に沿って、ポケットの上端から下方に延びる途中で底に向けてテーパー状に形成されている。底縁５５は、上端縁５１に平行であり、好ましい形態では、ポケット４０がスピーカ１０８をあまりにゆとりをもって保持することがないように、スピーカのハウジング１１２の直径サイズと同程度の３５ミリメートル程度の幅を有する。
【００４２】
フラップ４９は、ポケット４０の上端縁５１近くに取り付けられ、ポケット４０の上端縁５１全体に沿って延びている。フラップ４９はポケット４０の上に張り出し、スナップ，ボタン，紐，ベルクロなどの適当な締結手段によってポケット４０にしっかりと固定されている。好ましい形態では、フラップ４９は、ベルクロによってポケット４０に取り付けられている。
【００４３】
ポケット４０はスピーカアセンブリ１０８に適合する大きさに作られており、スピーカアセンブリ１０８は、ダイアフラムを伴ったスピーカドライバー（図示省略）を収容する一体成形のハウジング１１２を含んでいる。ダイアフラムを伴ったスピーカドライバーは、スピーカアセンブリ１０８の音を発生する部分である。スピーカアセンブリ或いはスピーカ１０８は、特に音質を最大限にするように構成されているが、上記述べたように、幌２０の上の好ましい位置にあるポケット４０の中に入れられるように十分小さい。特に、スピーカのハウジング１１２は、幌２０に沿った所定の高さにあって中間のサポート部材２８と後方のサポート部材２６ａとの間において、ポケット４０の限られた大きさの中に入る程小さく、所望の高音質を得るための最大の大きさを備えている。
【００４４】
スピーカハウジング１１２の厚みを考察する。スピーカハウジングの厚みは、ポケット４０の好ましい薄さに対応するため、音響上差しつかえない程度に薄く設計されている。これは、ポケットの織物とその下に横たわる幌の織物との間隔が薄くできているスピーカ１０８を収容するのに必要十分な大きさになるように、ポケットの織物の量を最小限にし得る。さらに、各スピーカ１０８は、幌２０の隣接するサポート部材２６，２８間で、好ましくは幌２０の内部空間で、スピーカを収容するポケット４０を開閉するために、十分な程小さく且つ薄いものが望ましい。スピーカのハウジング１１２が大きすぎると、幌２０の折り畳み作業の障害になって、スピーカのハウジング１１２が内部の窪み２０６の中へ移動することができないかもしれない。
【００４５】
スピーカ設計は、最適の音響再生と可搬性との折衷案を表している。オーディオシステムで使用されるスピーカ１０８は、高品質の音を発生することができるほどに十分に大きい。スピーカ１０８は、幌２０に配置されたスピーカ１０８と座席１４の中の幼児の耳との間の距離に照らして設計されている。以下に更に論じるとおり、この距離のために、ヘッドフォンと共に使用される同様のサイズのスピーカのように、内側方向よりもむしろ外方向に音が集中する特性を備えたスピーカ１０８が選定されている。
【００４６】
スピーカハウジング１１２は、オーディオシステムと一緒に使用されるために、極めて特有な構成を備えている。他の従来のコンパクトなスピーカは、ヘッドフォン用に、或いはリスナーの耳に直接入れるように設計されている。ヘッドフォンと共に使用されるスピーカは、しばしば、ヘッドフォンの輪状の支柱の底端を滑り込ませる穴を上部に備えたステムを有している。スピーカ・ワイヤーあるいはコードは、一般的に、上部のステムに対向するハウジングの底から延びている。従って、普通のヘッドフォン・スピーカの構成は、本オーディオシステムで使用するには適合していません。また、耳に直接入るスピーカは、幌２０と幼児とそれらの間に置かれた幌の部材との間で十分な音量や音質を提供することができないので、不適当である。
【００４７】
図１４〜２２に示すように、スピーカハウジング１１２は、環状の構造を備えており、耳と直接係わり合うものではないので、従来のスピーカのイヤホンのようなパッド部材を備えてはいない。スピーカ１０８のハンドルとしての機能を果たす環状のハウジング１１２と一体的に且つ接線状に出たステム部１１０から、スピーカ１０８の導線４４は出ている。したがって、ポケットの上縁５１に沿ってステム１１０が延びている場合でポケット４０の中でのスピーカ１０８のノーマル位置で、ポケットのフラップ４９が閉じてその中にスピーカ１０８が収容されているときに、後方のポケット４２の中のオーディオ・ソース２１に接続するために、且つ、導線４４をポケット４０から容易に出せるように、幌２０の側面１９や後面２２に沿った位置にワイヤー４４が延びている。上端５１から底縁５５まで計ったポケット４０の最小の深さは、ポケット４０の中にスピーカ１０８を収容するために、スピーカハウジング１１２の直径程度である。
【００４８】
スピーカ１０８は、常に幌２０のサイドポケット４０の中に保持されていてもよい。スピーカは、乳母車２０２ａの使用後に取り出す必要はない。さらに、図４及び図５に示すように、乳母車２０２ａは不使用時に折り畳まれていてもよい。乳母車２０２ａが折り畳まれているときには、スピーカ１０８は収納に便利なようにポケット４０の中に保持されていてもよい。内蔵式の部品を使用する子供運搬装置用の他のオーディオシステムと対照的に、スピーカ１０８を含む本発明のオーディオ部品は、故障したら、容易に取り外したり、また修理交換することができる。あるいは、全オーディオシステムを取り外したり、他のものを代用してもよい。
【００４９】
好ましい形態では、スピーカ１０８は、ポケット４０の中に都合良く入るように、そして高音質のサウンドを提供するように、調整された寸法を有する。幌２０上のポケット４０の最適の位置は、幼児の動作範囲に適した音響再生を最大限にするために注意深く選択されている。図２３のグラフに示すように、スピーカ１０８の音響性能や歪みは、周波数の関数として定められる。スピーカ１０８は、グラフの緩やかな傾斜によって示されているように、特に周波数５０００ヘルツまでの歪みが小さいように構成されている。例示であり限定としてではないが、スピーカ１０８は、好ましくは、次のような寸法の範囲にある。スピーカドライバーの直径が約２０〜３２ミリメートルであり、スピーカハウジングの直径が約３０〜４０ミリメートルであり、スピーカハウジングの厚さが約１１〜１６ミリメートルである。最も好ましい形態としては、スピーカ１０８の寸法は次のとおりである。スピーカドライバーの直径は１．０６インチ（２７ミリメートル）であり、スピーカハウジングの直径は１．４２（３６ミリメートル）、スピーカハウジングの高さは１．５８インチ（４０ミリメートル）、スピーカハウジングの長さは１．６５インチ（４２ミリメートル）、スピーカハウジングの厚さは０．５３インチ（１３．５ミリメートル）である。ステム部１１０について、最適の大きさのスピーカハウジング１１２を横切るステムの先端１１０ａからの距離は４２ミリメートルであり、この距離によって、好ましい６５ミリメートルのサイズのポケットの開口６９から挿入することができる。
【００５０】
さらに、一つの好ましい形態では、スピーカ１０８は、３２オームのインピーダンス、１０３デシベルの感度、２０〜２００００ヘルツの周波数範囲を有する。効率を良くするために、スピーカ１０８は高感度である。小さいスピーカ１０８の使用に適した高音量、豊かな音、そして高音質の音を生ずるために、スピーカは低インピーダンスである。低インピーダンスは、さらにスピーカ１０８がオーディオソース２１の過度の電力需要を避けることを可能にする。従って、本スピーカ１０８は、電池寿命を犠牲にすることなく、従来の電池式のオーディオソースと共に使用することができる。
【００５１】
さらに、図１７及び図１８に示すように、スピーカハウジング１１２は、正面壁部１１９と背面壁部１２０とを備えている。スピーカ１０８は、正面壁部１１９から広がる音を生成する。スピーカ１０８の背面壁部１２０は、スピーカ１０８の音質を向上する少なくとも一つ以上の小さい孔、好ましくは６つの孔を持ち、これは、本発明のコンパクトで小さいスピーカハウジング１１２には特に重要であることが分かった。孔があることで、孔がない場合に可能な場合よりもハウジング１１２を小さく構成することができる。孔がなければ、スピーカ１０８は、低い周波数で歪んだ音となるので、低い周波数特性において高いピークを示す。したがって、全周波数にわたってスピーカ１０８からの音を高音質にするために、スピーカ１０８の背面壁部１２０に孔を設けることで、低周波数において滑らかな周波数特性をえることができる。
【００５２】
スピーカハウジング１１２は幌２０の折り畳みとの衝突を最小限にするように十分に薄いことが好ましいが、スピーカドライバーは、子供が聴くのに十分な音量と音質を生ずるように十分に大きなものでなければならない。しかしながら、スピーカ１０８は、スピーカハウジング１１２とスピーカドライバーとの間隔を予め定められた最小の距離に維持しなければならない。この最小の距離でなければ、スピーカドライバーによって生成された音は、おそらくハウジング１１２によってこもったり歪められたりするであろう。
【００５３】
スピーカハウジング１１２の厚みや幌２０上のスピーカポケットの位置の重要性は、図２４〜２６に示されている。図２４は折り畳まれた位置にある幌２０を示している。幌２０が折り畳まれているとき、互いの方向に向かうサポート部材２６，２８の移動は、結果として幌の織物材を折り畳み、幌の織物材は内部の窪み２０６に集まる。図２４に示すように、スピーカ１０８やスピーカポケット４０は、織物材の内部窪み２０６の中に保持される。
【００５４】
図２５及び図２６は、スピーカ１０８及びスピーカポケット４０が幌２０の窪み２０６の中でどのように保持されるかを、より明確に示している。幌２０が折り畳まれているとき、回転ヒンジ機構２５はスピーカポケット４０のそばにある。ここで見られるように、スピーカハウジング１１２が大きくて分厚すぎると、スピーカポケット４０は、サポート部材２６，２８間で幌２０の内部窪み２０６から外に向けてはみ出すかもしれないし、また、回転ヒンジ機構２５の閉動作を妨げるかもしれない。言いかえれば、スピーカハウジング１１２が分厚すぎると、スピーカハウジング１１２が完全には幌２０の窪み２０６に入らないかもしれないし、サポート部材２６，２８同士が互いに隣接或いは寄り添う位置に折り畳まれることを妨げるであろう。図２５及び図２６に示すように、コンパクトサイズのスピーカ１０８は、サポート部材２６，２８間で突き出さないように、図中のサポート部材２８を避けて内側方向へ十分に間隔をおいて、完全に幌２０の内部窪み２０６に保持されることになる。
【００５５】
図２５及び図２６は、幌２０が折り畳まれているとき、スピーカポケット４０の織物材がスピーカ１０８のまわりでどのように折り重なるかを示している。折り重ねられたポケットの織物材は、図２５及び図２６に示すように、幌２０が広げられているときやポケット４０と一体の織物材がピンと張っているときに見られるような、スピーカポケット４０の好ましい形に対応しない。上記したように、好ましいスピーカポケットの形は、図２１や図２２に示すように、開口した上端５１とそれを覆うように配置されたフラップ４９とを備えた６辺を持つ多角形である。
【００５６】
図１３に、乳母車２０２ａの一変形として、双子用の乳母車１２２（２人の子供に対して使用するためのもの）を示す。双子用の乳母車１２２のオーディオソース２１とスピーカ１０８の特徴は、普通の乳母車２０２ａの特徴と基本的に同じである。しかしながら、導線４４，４７のサイズが異なる。図１０に示すように、好まし形態では一対の導線部４４をそれぞれ持つ二組５２，５４があり、それらは相互に連結して末端ジャック４８を持つ共通導線部４７となる。一対のジャック４８はツインジャック５６に連結することができ、このツインジャック５６はオーディオソース２１に接続することができる。
【００５７】
図１３に示すように、オーディオソース２１は、双子用の乳母車１２２の何れかの後ポケット４２の中に交換できるように置くことができる。オーディオソース２１が後ポケット４２、すなわち左方の後ポケット４２ａの中に置かれているとき、対応する左方の幌２０用の導線４４，４７のサイズは、普通の乳母車２０２ａ用の導線のサイズと同じである。スピーカポケット４０に対するオーディオソースの相対的な位置は、一人用のものにしても二人用のものにおいても同じであり、そのためオーディオソース２１とポケット４０との間の導線４４，４７の長さは同じである。したがって、図９及び図１０に示すように、導線４４，４７の寸法（ａ，ｂ，ｃ）は、普通の乳母車２０２ａや双子用の乳母車１２２において同じである。
【００５８】
しかしながら、対応しない幌２０、すなわち右側の幌２０ｄに対して、導線４４，４７の寸法は異なる。この違いは、オーディオソース２１が普通の乳母車２０２ａヴァージョンと違って、対応しない幌２０では異なる配置となっているために生じる。オーディオソース２１は、幌２０の真後ろにあるのではなくむしろ対応しない幌２０の側面に、つまり左の後方にある。したがって、オーディオソース２１は、対応しない幌２０（つまり右側の幌２０ｄ）に置かれたスピーカポケット４０からかなり離れた位置にあり、対応しない幌２０のポケットまでの導線４４，４７はその距離に対応するように異なるサイズでなければならない。
【００５９】
通常の乳母車２０２ａに適した導線４４，４７とはちがって、対応しないセット５４の導線４７は長くて、後方のオーディオポケット４２ａから出ており、対応しないセット５４の導線４４は異なる長さである。オーディオソース２１から対応しない幌２０のポケット４０までの導線４４，４７の寸法は、ｄ，ｅ，ｆとして図１０に示している。好ましい形態では、対応しないセット５４の導線４４，４７、すなわち右側の幌２０ｄに沿って配置された導線の寸法（ｄ，ｅ，ｆ）は、以下に述べる。ジャック４８から結合点４６までが９．１インチ（２３０ミリメートル）であり、結合点４６から左スピーカ１０８ｂまでが４インチであり、結合点４６から右スピーカ１０８ｃまでが１７．７インチ（４５０ミリメートル）である。
【００６０】
双子用の乳母車１２２も、導線４４を固定するための導線ホルダー６２を備えている。これらの導線ホルダー６２は、基本的に普通の乳母車２０２ａのものと同じである。さらに、双子用の乳母車１２２は各オーディオポケット４２の上にベルクロ６４を備えており、導線４４は不使用時にオーディオソースのポケット４２の上のベルクロで固定される。
【００６１】
別の形態では、幌用のオーディオシステムは、図１１〜１２に示すように、揺り椅子２０２ｂにも使用される。揺り椅子２０２ｂの一般的な構成は乳母車２０２ａと異なるが、揺り椅子２０２ｂも乳母車２０２ａも類似の幌やオーディオシステムを使用している。揺り椅子２０２ｂのオーディオシステムも、ＣＤプレイヤー、ミニ・ディスク・プレーヤー、ＭＰ３プレーヤー、テープレコーダー／プレーヤーあるいはラジオのようなオーディオソース２１に接続した二つのスピーカ１０８を備えており、これらは全て揺り椅子２０２ｂの折り畳み式の幌８８に取り付けられている。ここでも、オーディオ部品は内蔵されていない。それらは容易に取り外し可能であり、また交換可能である。
【００６２】
特に、揺り椅子２０２ｂはサポートベース７２を備えたフレーム７０を持っている。ベース７２は、二つの実質上平行である弓状の縦ベース部材７４を備えており、各縦ベース部材７４は先端７４ａに車輪７６を回転可能に取り付けている。縦ベース部材７４の後端７４ｂは脚部７８に取り付けられている。さらにベース７２は３つの横ベース部材８０を備えており、各横ベース部材８０は実質上互いに平行で、縦ベース部材７４間にあり、二つの縦ベース部材７４を連結している。
【００６３】
ベース７２は、二対のサポート脚８２，８６に連結されている。第一のペア８２は、車輪７６に取り付けられており、そして、サポート脚８２は後上方向に延びている。また、サポート脚８２は揺り椅子２０２ｂの座席８４のための取付面を備えている。第２のサポート脚８６のペアは、ベースから上方に向けて延びており、そしてサポート脚８２の第一のペアに取り付けられている。座席８４は、幼児や乳児が座ることができるように揺り椅子２０２ｂのフレーム７０に取り付けられている。
【００６４】
本発明の乳母車の実施例と同様に、幌８８が揺り椅子２０２ｂに取り外し可能に取り付けられている。揺り椅子用の幌８８は、実質的に、乳母車２０２ａで使用した幌２０と類似のものである。図１１〜１２に示すように、幌８８は布製の後カバー９０とフード部９２とを備えている。幌８８も、後方の輪サポート部材９４と、前方の輪サポート部材９６と、中間のサポート部材９８とを、備えている。
【００６５】
揺り椅子２０２ｂの幌８８は側面８８ａと後面８８ｂの上にポケット１００，１０２を備えており、これらのポケット中でスピーカ１０８やオーディオソース２１をゆとりを持って保持することができ、また、ポケットから簡単に出し入れできるようにスピーカ１０８やオーディオソース２１を配置することができる。特に、スピーカ１０８は、幌８８のフード９２の布製の表面８８ａに縫いつけられたポケット１００の中に配置されている。フード部９２が折り畳み位置に向かって移動しているときに、ポケット１００がサポート部材と輪の間に形成された窪みの中に折り畳まれるように、ポケット１００は、後方の輪サポート部材９４と中間のサポート部材９８との間に配置されている。オーディオソース２１は、後カバー部９０の外表面８８ｂに縫いつけられたポケット１０２の中に配置されている。
【００６６】
揺り椅子２０２ｂと使用するオーディオシステムの部品の性質は、乳母車２０２ａと使用する部品に非常によく似ている。揺り椅子２０２ｂのオーディオソース２１やスピーカ１０８の特性は、基本的に、普通の乳母車２０２ａの特性と同様である。さらに、スピーカ１０８やオーディオソース２１に適したポケット１００，１０２の位置も、基本的に乳母車と同様である。しかしながら、オーディオソース２１とスピーカ１０８を接続するために使用される導線４４と導線４７の長さは異なる。図９に示すように、揺り椅子の好ましい形態では、ジャック４８から結合点４６までの導線部４７の長さ（ａ）は１７．７インチ（４５０ミリメートル）であり、結合点４６から各スピーカ１０８ａまでの導線４４の長さ（ｂ，ｃ）は１６インチ（４００ミリメートル）である。長さの差は、揺り椅子２０２ｂの異なる構造によって決まる。さらに、導線４４は、前述の一人用乳母車ヴァージョン２０２ａで述べたように、適当な張力、すなわちあまりピンと張らずに、そしてあまり垂れ下がらないようにして幌８８に適合するようにサイズ調整されている。
【００６７】
以上、本発明の特徴のある実施形態を説明したが、当業者であれば多数の変更や修正を行うことができるであろうし、添付した請求の範囲は本発明の主旨や範囲に含まれる変更，修正に及ぶことを意図している。
【図面の簡単な説明】
【００６８】
図１〜図３は、本発明に係るオーディオ・システムの斜視図であり、スピーカーやオーディオソースを入れるポケットを備えた乳母車やその折り畳み式の幌を示している。
図４及び図５は乳母車の斜視図であり、図４は幌の格納を示し、図５は格納のための乳母車のフレームの折り畳みを示している。
図６は、幌の拡大斜視図であり、幌の旋回軸台や低弾性の支柱、幌の柱を取り外しできるように受ける乳母車フレームの軸さやを示している。
図７は、オーディオソース用の幌ポケットとそれのふたをするパッドとの分解斜視図である。
図８は、座席エリアに関連してスピーカーのポケットの高さを示すために幌が全開した乳母車の概略側面図である。
図９は、スピーカーと、両方のスピーカーに接続されるためのスプリットエンド部分とオーディオソースに接続するためのプラグ・ジャックで終わる共通のエンド部分とを持っている導線とを示す平面図である。
図１０は、双子用の乳母車に使用するオーディオ・システムのスピーカーと導線を示す平面図であり、図９に示す一対のジャックに接続されるためのツインジャックを示している。
図１１は、幌に本発明のオーディオ・システムを組み込んでいる揺り椅子の斜視図である。
図１２は、オーディオソースの入った後ポケットを示す揺り椅子の背面図である。
図１３は、幌の上に本発明のオーディオ・システムを組み込んでいる双子用の乳母車の背面図である。
図１４〜図２０は、本発明のオーディオ・システムにおける扁平スピーカーを示す各種の図である。
図２１及び図２２は、スピーカーを内部に収容するポケットの一つとスピーカーの柄（ステム）からポケット外に伸びる導線を示している。
図２３は、周波数特性として本発明のスピーカーの音響性能を示すグラフである。
図２４は、倒された位置にある幌の拡大側面図であり、リリースされた状態における幌の隣接するアーチ状のサポート部材に取り付けたヒンジ機構と、スピーカーポケットと、通常サポート部材がない内面に配置されたスピーカーポケットの中にあるスピーカーを示している。
図２５は、ポケットとスピーカーを示す図２４のライン２５−２５に沿って得られた正面図である。
図２６は、図２５のライン２６−２６に沿って得られた平面図であり、倒された幌の内部の囲いへの取り付けに適する柔軟な幌やポケット織物部材の能力を示す。
【国際公開パンフレット】
2004529554.tif 000003
2004529554.tif 000004
2004529554.tif 000005
2004529554.tif 000006
2004529554.tif 000007
2004529554.tif 000008
2004529554.tif 000009
2004529554.tif 000010
2004529554.tif 000011
2004529554.tif 000012
2004529554.tif 000013
2004529554.tif 000014
2004529554.tif 000015
2004529554.tif 000016
2004529554.tif 000017
2004529554.tif 000018
2004529554.tif 000019
2004529554.tif 000020
2004529554.tif 000021
2004529554.tif 000022
2004529554.tif 000023
2004529554.tif 000024
2004529554.tif 000025
2004529554.tif 000026
2004529554.tif 000027
2004529554.tif 000028
2004529554.tif 000029
2004529554.tif 000030
2004529554.tif 000031
2004529554.tif 000032
2004529554.tif 000033
2004529554.tif 000034
2004529554.tif 000035
2004529554.tif 000036
2004529554.tif 000037
2004529554.tif 000038
2004529554.tif 000039
2004529554.tif 000040
2004529554.tif 000041
2004529554.tif 000042
2004529554.tif 000043
2004529554.tif 000044
2004529554.tif 000045
2004529554.tif 000046
2004529554.tif 000047
2004529554.tif 000048
2004529554.tif 000049
2004529554.tif 000050
2004529554.tif 000051
2004529554.tif 000052
【国際公開パンフレット（コレクトバージョン）】
2004529554.tif 000053
【国際調査報告】
2004529554.tif 000054
2004529554.tif 000055